(57)【要約】【課題】保管する複数本の歯ブラシが隣り合ったもの同士で当たるのを確実に抑制することのできる歯ブラシ立てを提供すること。【解決手段】中空箱状の歯ブラシ立て１の上面部５を上下方向に貫通する複数の貫通孔６が、歯ブラシ立ての幅方向に並んで列を作り、この列が歯ブラシ立ての奥行方向に並んで貫通孔列６１が歯ブラシ立ての上面部に複数列形成され、各貫通孔の下端縁の一部に歯ブラシ立ての内部に向かって斜め下方に延びるガイド片７が配設され、隣り合う２列の貫通孔列においてガイド片が、歯ブラシ立ての上方から見て放射状に配置されている。【選択図】図１
2009233009.tif 000002
【特許請求の範囲】
【請求項１】
中空箱状の歯ブラシ立ての上面部を上下方向に貫通する複数の貫通孔が、歯ブラシ立ての幅方向に並んで列を作り、この列が歯ブラシ立ての奥行方向に並んで貫通孔列が歯ブラシ立ての上面部に複数列形成された歯ブラシ立てにおいて、各貫通孔の下端縁の一部に歯ブラシ立ての内部に向かって斜め下方に延びるガイド片が配設され、隣り合う２列の貫通孔列においてガイド片が、歯ブラシ立ての上方から見て放射状に配置されていることを特徴とする歯ブラシ立て。
【請求項２】
貫通孔は略長円状の形状を有し、隣り合う２列の貫通孔列において貫通孔も歯ブラシ立ての上方から見て放射状に配置されていることを特徴とする請求項１に記載の歯ブラシ立て。
【請求項３】
歯ブラシ立ての底部に複数の凹部が形成され、凹部は、歯ブラシ立ての幅方向に並んで列を作るとともに、この列が歯ブラシ立ての奥行方向に並んで凹部列を形成し、１つの凹部列は、隣り合う２列の貫通孔列の列間に対応する下方位置に配置されていることを特徴とする請求項１または２に記載の歯ブラシ立て。
【発明の詳細な説明】
【技術分野】
【０００１】
本発明は、歯ブラシ立てに関する。
【背景技術】
【０００２】
複数本の歯ブラシを立てて保管し、乾燥させることのできる歯ブラシ立ては、洗面化粧台の洗面ボウルの近辺に載置されて使用される。このような歯ブラシ立てについて、本出願人は、複数本の歯ブラシをコンパクトにかつ衛生的に支持保管することのできる歯ブラシ立てを提案している（特許文献１）。
【０００３】
特許文献１に記載した歯ブラシ立ては、相隣接する対の支持部を、各々に支持される歯ブラシの先端側が相互に離反する方向となって両歯ブラシの柄部が傾倒して支持されるように形成したものである。具体的には、対の支持部を複数対並設するとともに、対の支持部の一方および他方が各々列をなすように複数の支持部を配設している。このような相隣接する対の支持部では、歯ブラシの柄部が傾倒し、ブラシ部が斜め下方を向いて歯ブラシが支持される。したがって、相隣接して支持される両歯ブラシは相互に背を向け合い、ブラシ部相互の接触が抑制され、歯ブラシの衛生的な支持保管が可能とされる。
【特許文献１】特開平１１−３３２６５３号公報
【発明の開示】
【発明が解決しようとする課題】
【０００４】
しかしながら、その後の検討により、特許文献１に記載した歯ブラシ立てには、列方向に並んで隣り合う支持部間において歯ブラシ同士が当たってしまうという問題が見出された。
【０００５】
支持部となる貫通孔は、ここに挿入される歯ブラシの柄部の太さより若干大きい矩形状に形成され、貫通孔の周縁には歯ブラシの柄部をガイドする筒状片が一体に垂設されている。このような貫通孔および筒状片により、支持部において、歯ブラシの柄部が傾倒し、ブラシ部が斜め下方を向いて歯ブラシは支持されるが、貫通孔の横幅が歯ブラシの柄部の横幅より大きいため、支持された歯ブラシは貫通孔の横幅方向に傾倒可能である。このため、支持部への挿入操作や挿入後の振動などによって、支持される歯ブラシ同士が、列方向に並んで隣り合う支持部間において傾倒し、ブラシ部が接触してしまうことがある。
【０００６】
特許文献１に記載した歯ブラシ立ては、内底部に着脱自在に設置されるプレートに貫通孔に対応した直下方位置に凹所が複数形成され、この凹所と貫通孔との上下二点支持とし、歯ブラシの支持を安定化してもいるが、上記の通りの列方向に並んだ支持部間における歯ブラシの傾倒は、貫通孔と凹所との上下二点支持によっても十分には抑制されない。
【０００７】
本発明は、以上の通りの事情に鑑みてなされたものであり、保管する複数本の歯ブラシが隣り合ったもの同士で当たるのを確実に抑制することのできる歯ブラシ立てを提供することを課題としている。
【課題を解決するための手段】
【０００８】
本発明は、上記の課題を解決するために、以下の特徴を有している。
【０００９】
すなわち、第１には、中空箱状の歯ブラシ立ての上面部を上下方向に貫通する複数の貫通孔が、歯ブラシ立ての幅方向に並んで列を作り、この列が歯ブラシ立ての奥行方向に並んで貫通孔列が歯ブラシ立ての上面部に複数列形成された歯ブラシ立てにおいて、各貫通孔の下端縁の一部に歯ブラシ立ての内部に向かって斜め下方に延びるガイド片が配設され、隣り合う２列の貫通孔列においてガイド片が、歯ブラシ立ての上方から見て放射状に配置されていることを特徴としている。
【００１０】
第２には、上記第１の特徴において、貫通孔は略長円状の形状を有し、隣り合う２列の貫通孔列において貫通孔も歯ブラシ立ての上方から見て放射状に配置されていることを特徴としている。
【００１１】
第３には、上記第１または第２の特徴において、歯ブラシ立ての底部に複数の凹部が形成され、凹部は、歯ブラシ立ての幅方向に並んで列を作るとともに、この列が歯ブラシ立ての奥行方向に並んで凹部列を形成し、１つの凹部列は、隣り合う２列の貫通孔列の列間に対応する下方位置に配置されていることを特徴としている。
【発明の効果】
【００１２】
本発明は、第１の特徴により、貫通孔から歯ブラシ立ての内部に挿入される歯ブラシは、歯ブラシ立ての外側に向かって傾倒して支持され、支持された歯ブラシは放射状に配置されるので、保管状態において歯ブラシは隣り合ういずれのものとも近接せず、ブラシ部が接触して歯ブラシ同士が当たるのが確実に抑制される。歯ブラシの保管状態が衛生的に保たれ、また、ブラシ部の乾燥が促進される。
【００１３】
また、本発明は、上記効果に加え、上記第２の特徴により、貫通孔に挿入されて支持された歯ブラシが確実に歯ブラシ立ての外側に向かって傾倒し、放射状配置が確実に実現され、歯ブラシ同士が当たるのがより確実に抑制される。
【００１４】
さらに、本発明は、上記効果に加え、上記第３の特徴により、歯ブラシは、凹部によって下端部においても支持されるので、安定な支持が可能となり、歯ブラシ立ての外側に向かう傾倒および放射状配置が一層確実に実現され、歯ブラシ同士が当たるのが一層確実に抑制される。
【発明を実施するための最良の形態】
【００１５】
図１＜ａ＞＜ｂ＞は、それぞれ、本発明の歯ブラシ立ての一実施形態を歯ブラシの保管状態において示した正面図、図１＜ａ＞のＸ−Ｘ断面図である。図２＜ａ＞＜ｂ＞＜ｃ＞＜ｄ＞は、それぞれ、図１＜ａ＞＜ｂ＞に示した歯ブラシ立ての正面図、図２＜ａ＞のＸ−Ｘ断面図、平面図、底面図である。
【００１６】
図１＜ａ＞＜ｂ＞および図２＜ａ＞＜ｂ＞＜ｃ＞＜ｄ＞に示した歯ブラシ立て１は、下端が開口した中空な箱状の本体部２と、上端外周部に受け部３を有する底部４とを備えている。本体部２と底部４とは分離可能であり、各々独立して樹脂により形成されている。底部４の受け部３上に本体部２の下端部を載置し、本体部２を底部４の上端部に被せると、歯ブラシ立て１が一体となる。
【００１７】
本体部２の上面部５には、上下方向に貫通する貫通孔６が複数形成されている。貫通孔６は、本体部２の幅方向、すなわち、歯ブラシ立て１の幅方向に左端側から右側に一定間隔で３つ並び、これら３つの貫通孔６によって貫通孔列６１を形成している。貫通孔列６１は、本体部２の奥行方向、すなわち、歯ブラシ立て１の奥行方向に２列並んで本体部２の上面部５に形成されている。したがって、貫通孔６は、本体部２の上面部５に合計６つ形成されている。
【００１８】
また、貫通孔６は、図２＜ａ＞に示したように、略長円状の形状を有し、隣り合う２列の貫通孔列６１において歯ブラシ立て１の上方から見て長径が放射線上に位置するように、貫通孔６は放射状に配置されている。
【００１９】
各貫通孔６の下端縁には、その一部に、図１＜ｂ＞および図２＜ｂ＞に示したように、歯ブラシ立て１の内部である本体部２の内部に向かって斜め下方に延びるガイド片７が配設されている。ガイド片７は、本体部２と一体に成形され、貫通孔６の下端縁から延設されている。このようなガイド片は、図２＜ａ＞に示したように、隣り合う２列の貫通孔列６１において歯ブラシ立て１の上方から見て放射状に配置されている。
【００２０】
また、本体部２の上面部５には、本体部２の最も右側に位置する貫通孔６から本体部２の右端部にかけての部分に、略矩形状の上部開口８が形成されている。
【００２１】
底部４は、平皿状の形状を有し、底部４には、奥行方向の中央部、すなわち、歯ブラシ立て１の奥行方向の中央部に、左端側から右方向に３つの凹部９が形成されている。３つの凹部９は、それぞれ、球面状の形状を有し、歯ブラシ立て１の幅方向、すなわち、底部４の幅方向に並んで凹部列９１を形成している。凹部列９１は、図２＜ａ＞および図２＜ｄ＞の対比から確認されるように、本体部２の上面部５に形成された２列の貫通孔列６１の列間１０の中央部に対応する下方位置に配置されている。
【００２２】
また、底部４には、本体部２の上面部５に形成された上部開口８に対応する下方位置に、上部開口８と略同一な形状の矩形凹部１１が形成されている。
【００２３】
このような歯ブラシ立て１に歯ブラシ１２を保管する際には、歯ブラシ１２を先端側のブラシ部１３とは反対側の柄部１４の端部から１つの貫通孔６を通じて歯ブラシ立て１の本体部２の内部に挿入する。貫通孔６は、上記の通り、隣り合う２列の貫通孔列６１において歯ブラシ立て１の上方から見て長径が放射線上に位置するように放射状に配置されているため、歯ブラシ１２は、柄部１４の横幅方向を貫通孔６の長径方向に一致させて本体部２の内部に挿入される。また、歯ブラシ１２の本体部２の内部への挿入は、ガイド片７にともなわれ、柄部１４の下端は、底部４に形成された凹部列９１の１つの凹部９に挿入される。歯ブラシ１２は、柄部１４が、凹部９、ガイド片７および貫通孔６によって支持されて保管状態となる。保管状態では、各貫通孔６を通じて本体部２の内部に挿入された歯ブラシ１２は、ガイド片７および貫通孔６の放射状配置にしたがって、歯ブラシ立て１の上方から見て放射状に配置され、各歯ブラシ１２の柄部１４は、ブラシ部１３が互いに離反する方向に向いて保管される。また、歯ブラシ立て１の幅方向において同じ側に位置する、つまり、本体部２の左端側、その右隣または最も右側に位置する２つの貫通孔６を通じて本体部２の内部に挿入される２本の歯ブラシ１２は、底部４に形成された凹部列９１において同じ１つの凹部９、すなわち、左端側、その右隣または最も右側に位置する１つの凹部９に柄部１４の下端部が挿入される。
【００２４】
このように、歯ブラシ立て１では、各貫通孔６の下端縁の一部に歯ブラシ立て１の本体部２の内部に向かって斜め下方に延びるガイド片７が配設されているので、貫通孔６から歯ブラシ立て１の本体部２の内部に挿入される歯ブラシ１２は、歯ブラシ立て１の外側に向かって傾倒して支持され、支持された歯ブラシ１２は放射状に配置される。このため、保管状態において歯ブラシ１２は、歯ブラシ立て１の本体部２の幅方向および奥行方向に隣り合ういずれのものとも近接せず、ブラシ部１３が接触して歯ブラシ１２同士が当たるのが確実に抑制される。隣り合う２列の貫通孔列６１においてブラシ部１３がともに歯ブラシ立て１の内側に向いて保管されても、ブラシ部１３が接触することはほとんどない。したがって、歯ブラシ１２の保管状態が衛生的に保たれ、また、ブラシ部１３の乾燥が促進される。
【００２５】
また、歯ブラシ立て１では、長円形状の貫通孔６は、隣り合う２列の貫通孔列６１において歯ブラシ立て１の上方から見て長径が放射線上に位置するように放射状に配置されてもいるので、貫通孔６に挿入されて支持された歯ブラシ１２が確実に歯ブラシ立て１の外側に向かって傾倒し、放射状配置が確実に実現され、歯ブラシ１２同士が当たるのがより確実に抑制される。
【００２６】
さらに、歯ブラシ立て１では、歯ブラシ１２は、凹部９によって柄部１４の下端部においても支持されるので、安定な支持が可能となり、歯ブラシ立て１の外側に向かう傾倒および放射状配置が一層確実に実現され、歯ブラシ１２同士が当たるのが一層確実に抑制される。凹部９では、歯ブラシ立て１の幅方向において同じ側に位置する２本の歯ブラシ１２を１つの凹部９で支持するので、歯ブラシ１２の１本ずつに対応して凹部９を設け、歯ブラシ１２を凹部９で個別に支持する場合に比べ、歯ブラシ１２の支持が安定する。
【００２７】
保管された歯ブラシ１２は、貫通孔６の長径方向およびガイド片７に沿って引き上げることによって歯ブラシ立て１から取り出すことができる。ガイド片７および貫通孔６の放射状配置の取出操作への影響はほとんどなく、歯ブラシ立て１は、保管および取り出しのいずれにおいても使い勝手に優れている。
【００２８】
歯磨きチューブは、本体部２の上面部５に形成された上部開口８を通じて歯ブラシ立て１の本体部２の内部に挿入し、上部開口８とともに、底部４に形成された矩形凹部１１により支持し、保管することができる。
【００２９】
また、保管状態において歯ブラシ１２のブラシ部１３などから柄部１４を伝って下方に流れ落ちる水は、平皿状の底部４の内底面で受けることができ、本体部２を分離することにより外部に排出することができる。
【００３０】
さらに、底部４には、奥行方向の中央部に球面形状の凹部９が形成されているので、左端側の凹部９に近接する外底面にリブ１５を下方に突設し、これに合わせて矩形凹部１１のコーナー部下端にも同様なリブ１６を下方に突設して、歯ブラシ立て１が所定部位に安定に載置されるようにすることができる。
【００３１】
なお、本発明の歯ブラシ立てでは、貫通孔および貫通孔列の数に特に制限はなく、歯ブラシを複数本保管することができればよい。貫通孔列の数は具体的には偶数であり、隣り合う２列の貫通孔列においてガイド片の放射状配置が実現されればよい。凹部列の数は、貫通孔列に基づいて決めることができ、凹部列の位置は、隣り合う２列の貫通孔列の列間に対応する下方位置とする。
【図面の簡単な説明】
【００３２】
【図１】＜ａ＞＜ｂ＞は、それぞれ、本発明の歯ブラシ立ての一実施形態を歯ブラシの保管状態において示した正面図、図１＜ａ＞のＸ−Ｘ断面図である。
【図２】＜ａ＞＜ｂ＞＜ｃ＞＜ｄ＞は、それぞれ、図１＜ａ＞＜ｂ＞に示した歯ブラシ立ての正面図、図２＜ａ＞のＸ−Ｘ断面図、平面図、底面図である。
【符号の説明】
【００３３】
１  歯ブラシ立て
４  底部
５  上面部
６  貫通孔
６１  貫通孔列
７  ガイド片
９  凹部
９１  凹部列
１０  貫通孔列の列間
【図１】
2009233009.tif 000003
【図２】
2009233009.tif 000004